(57)【要約】【課題】操作表示装置と携帯端末が連携して操作表示を可能とする際に、操作表示装置では認識不可能な操作を携帯端末が受け付けた場合における操作表示装置での誤認識を防止する操作表示システム、プログラム、携帯端末、操作表示装置、携帯端末プログラムを提供する。【解決手段】  携帯端末で受け付け可能な操作と、操作パネルで受け付け可能な操作を比較し、操作表示装置と携帯端末が連携して操作表示を可能とする際に、携帯端末が受け付けた特定操作が、携帯端末では操作可能であって、操作パネルでは操作不可能な場合、その特定操作を無効とする。【選択図】図７
2014006668.tif 000002
【特許請求の範囲】
【請求項１】
操作部と表示部と通信部とを備えた操作表示装置と、操作部と表示部と通信部とを備えた携帯端末とを有する操作表示システムにおいて、
前記携帯端末で操作を受け付けた場合および前記操作表示装置で操作を受け付けた場合にその操作に応じて前記携帯端末に表示する画面と前記操作表示装置に表示する画面とが連携するようにこれらの表示内容を制御する連携制御部と、
前記制御中に、前記操作表示装置で受け付け不可能な特定操作を前記携帯端末で受けた場合に、この特定操作を無効にする特定操作無効部と、
を有する
ことを特徴とする操作表示システム。
【請求項２】
前記連携制御部による前記制御の開始時を第１判断タイミングとし、
前記特定操作無効部は、前記携帯端末で受け付け可能な操作のうち前記特定操作となる全ての操作を前記第１判断タイミングで抽出して記憶し、前記携帯端末で操作を受け付ける毎にその操作が前記特定操作か否かを前記記憶に基づいて判断する
ことを特徴とする請求項１に記載の操作表示システム。
【請求項３】
前記携帯端末が操作を受け付けた時を第２判断タイミングとし、
前記特定操作無効部は、前記第２判断タイミングで、操作表示装置で受け付け可能な操作と前記受け付けた操作を比較することによって、前記受け付けた操作が前記特定操作であるか否かを判断する
ことを特徴とする請求項１または２に記載の操作表示システム。
【請求項４】
前記連携制御部は、前記第１判断タイミング、または前記第２判断タイミングで調べた結果、前記特定操作が存在する場合に、その旨を警告する
ことを特徴とする請求項２または３に記載の操作表示システム。
【請求項５】
前記特定操作無効部は、前記操作表示装置に設けられており、
前記特定操作無効部は、前記携帯端末から受信した操作情報が、前記特定操作の操作情報であるか否かを判断し、当該操作情報が前記特定操作の操作情報である場合には、その操作情報を無効とする
ことを特徴とする請求項１乃至４のいずれか１つに記載の操作表示システム。
【請求項６】
前記特定操作無効部は、前記携帯端末に設けられており、
前記特定操作無効部は、前記携帯端末に、前記特定操作の操作情報を前記操作表示装置に向けて送信させないことで前記特定操作を無効にする
ことを特徴とする請求項１乃至５のいずれか１つに記載の操作表示システム。
【請求項７】
前記特定操作無効部が、前記特定操作を無効にする際には、
前記携帯端末に前記特定操作の操作情報の代替情報として、前記操作表示装置で受け付け可能な操作に係る操作情報を前記連携制御部に送信させる
ことを特徴とする請求項６に記載の操作表示システム。
【請求項８】
前記特定操作無効部は、前記特定操作が、前記携帯端末の表示内容のみを変更し、前記表示部の表示内容は変更しない第２特定操作である場合は、前記第２特定操作は無効にしない
ことを特徴とする請求項１乃至７のいずれか１つに記載の操作表示システム。
【請求項９】
前記連携制御部は、前記第２特定操作によって、前記携帯端末に表示する表示内容を変更する際に、当該変更後の表示内容の表示データが前記携帯端末内で不足した場合、当該不足している表示データを前記携帯端末に送信する
ことを特徴とする請求項８に記載の操作表示システム。
【請求項１０】
操作部と、
表示部と、
操作部と表示部と通信部とを備えた携帯端末と通信する通信部と、
特定操作無効部と、
を備える操作表示装置を、
前記携帯端末で操作を受け付けた場合および前記操作表示装置で操作を受け付けた場合にその操作に応じて前記携帯端末に表示する画面と前記操作表示装置に表示する画面とが連携するようにこれらの表示内容を制御すると共に、該制御中に、前記携帯端末では受け付け可能であるが前記操作表示装置では受け付けが不可能である特定操作を前記携帯端末で受けた場合に、この特定操作を無効にするように動作させる
ことを特徴とするプログラム。
【請求項１１】
前記制御の開始時を第１判断タイミングとし、
前記操作表示装置を、
前記携帯端末で受け付け可能な操作のうち前記特定操作となる全ての操作を前記第１判断タイミングで抽出して記憶し、前記携帯端末で操作を受け付ける毎にその操作が前記特定操作か否かを前記記憶に基づいて判断するように動作させる
ことを特徴とする請求項１０に記載のプログラム。
【請求項１２】
前記携帯端末が操作を受け付けた時を第２判断タイミングとし、
前記操作表示装置を、
前記第２判断タイミングで、前記操作部で受け付け可能な操作と前記受け付けた操作を比較することによって、前記受け付けた操作が前記特定操作であるか否かを判断するように動作させる
ことを特徴とする請求項１０または１１に記載のプログラム。
【請求項１３】
前記操作表示装置を、
前記第１判断タイミング、または前記第２判断タイミングで調べた結果、前記特定操作が存在する場合に、その旨を警告するように動作させる
ことを特徴とする請求項１１または１２に記載のプログラム。
【請求項１４】
前記操作表示装置を、
前記携帯端末から受信した操作情報が、前記特定操作の操作情報であるか否かを判断し、前記特定操作の操作情報である場合にその操作情報を無効とすることで、前記特定操作を無効とするように動作させる
ことを特徴とする請求項１０乃至１３のいずれか１つに記載のプログラム。
【請求項１５】
前記操作表示装置を、
前記特定操作が、前記携帯端末の表示内容のみを変更し、前記表示部の表示内容は変更しない第２特定操作である場合は、前記第２特定操作は無効にしないように動作させる
ことを特徴とする請求項１０乃至１４のいずれか１つに記載のプログラム。
【請求項１６】
前記操作表示装置を、
前記第２特定操作によって、前記携帯端末に表示する表示内容の表示データが不足した場合、当該不足している表示データを前記携帯端末に送信するように動作させる
ことを特徴とする請求項１５に記載のプログラム。
【請求項１７】
操作部と、
操作表示装置と通信すると共に、前記携帯端末で操作を受け付けた場合および前記操作表示装置で操作を受け付けた場合にその操作に応じた画面を表示する前記操作表示装置から前記画面と連携する画面の表示データを受信する通信部と、
前記通信部が受信した表示データに基づいて画面を表示する表示部と、
前記通信中に、前記操作部では受け付け可能であるが、前記操作表示装置では受け付けが不可能である特定操作を前記操作部で受けた場合にこの特定操作を無効にする特定操作無効部と
を有する
ことを特徴とする携帯端末。
【請求項１８】
前記操作表示装置と通信を開始した時を第１判断タイミングとし、
前記特定操作無効部は、前記操作部で受け付け可能な操作のうち前記特定操作となる全ての操作を前記第１判断タイミングで抽出して記憶し、前記操作部で操作を受け付ける毎にその操作が前記特定操作か否かを前記記憶に基づいて判断する
ことを特徴とする請求項１７に記載の携帯端末。
【請求項１９】
前記操作部が操作を受け付けた時を第２判断タイミングとし、
前記特定操作無効部は、前記第２判断タイミングで、前記操作表示装置で受け付け可能な操作と前記受け付けた操作を比較することによって、前記受け付けた操作が前記特定操作であるか否かを判断する
ことを特徴とする請求項１７または１８に記載の携帯端末。
【請求項２０】
前記携帯端末は、前記第１判断タイミング、または前記第２判断タイミングで調べた結果、前記特定操作が存在する場合に、その旨を警告するように動作させる
ことを特徴とする請求項１８または１９に記載の携帯端末。
【請求項２１】
前記特定操作無効部は、前記通信部に、前記特定操作の操作情報を前記操作表示装置に向けて送信させないことで前記特定操作を無効にする
ことを特徴とする請求項１７乃至２０のいずれか１つに記載の携帯端末。
【請求項２２】
前記特定操作無効部が、前記特定操作を無効にする際には、
前記通信部に前記特定操作の操作情報の代替情報として、前記操作表示装置で受け付け可能な操作に係る操作情報を前記操作表示装置に送信させる
ことを特徴とする請求項２１に記載の携帯端末。
【請求項２３】
前記特定操作無効部は、前記特定操作が、前記表示部の表示内容のみを変更し、前記操作表示装置の表示内容は変更しない第２特定操作である場合は、前記第２特定操作は無効にしない
ことを特徴とする請求項１７乃至２２のいずれか１つに記載の携帯端末。
【請求項２４】
前記通信部は、前記第２特定操作によって、前記表示部に表示する表示内容の表示データが不足した場合、当該不足している表示データを前記操作表示装置から取得し、
前記表示部は、前記取得した表示データに基づいて画面を表示する
ことを特徴とする請求項２３に記載の携帯端末。
【請求項２５】
操作部と、
表示部と、
操作部と表示部と通信部とを備えた携帯端末と通信する通信部と、
特定操作無効部と、
制御部と、
を備え、
前記制御部は、前記携帯端末で操作を受け付けた場合および前記操作表示装置で操作を受け付けた場合にその操作に応じて前記携帯端末に表示する画面と前記操作表示装置に表示する画面とが連携するようにこれらの表示内容を制御し、
前記特定操作無効部は、前記制御中に、前記携帯端末では受け付け可能であるが前記操作表示装置では受け付けが不可能である特定操作を前記携帯端末で受けた場合に、この特定操作を無効にする
ことを特徴とする操作表示装置。
【請求項２６】
操作部と、
操作表示装置と通信すると共に、前記携帯端末で操作を受け付けた場合および前記操作表示装置で操作を受け付けた場合にその操作に応じた画面を表示する前記操作表示装置から前記画面と連携する画面の表示データを受信する通信部と、
前記通信部が受信した表示データに基づいて画面を表示する表示部と、
特定操作無効部と、
を備える携帯端末を、
前記特定操作無効部は、前記通信中に、前記操作部では受け付け可能であるが、前記操作表示装置では受け付けが不可能である特定操作を前記操作部で受けた場合にこの特定操作を無効にするように動作させる
ことを特徴とする携帯端末プログラム。
【発明の詳細な説明】
【技術分野】
【０００１】
本発明は、操作表示装置と携帯端末を連携して操作表示を可能にする操作表示システム、プログラム、操作表示装置、及びその携帯端末と携帯端末プログラムに関する。
【背景技術】
【０００２】
携帯端末よりも認識可能な操作の種類が少ない操作パネルを備えた車載機器で携帯端末のアプリケーションを実行させる際に、その操作パネル側で入力不可能であって、携帯端末側で入力可能な操作コマンドを、代替えの入力方法（たとえばマルチタッチ操作を、複数回のシングルタッチで代替えする）によって実現する技術が提案されている（特許文献１参照）。
【０００３】
また、マルチタッチが不可能な操作パネルに対してマルチタッチを行った場合に、どちらか一方の指が離れたら、残っている指の地点に対しての選択操作が行われたと判断することで、マルチタッチの誤認識を防止する技術が提案されている（特許文献２参照）。
【０００４】
ところで、本出願人は、操作パネルを有する情報処理装置と携帯端末の間で無線通信を行う際に、操作パネルと携帯端末を並べて配置し、情報処理装置と携帯端末を連携させることで、表示面積の拡張を図り、操作性を向上させる技術を考案した。たとえば、スクロールすることで全体像が確認できる画面において、現在操作パネルに表示されていない部分を、操作パネルの隣に配置している携帯端末で表示させ、携帯端末での操作表示を可能とすることで、情報処理装置に設置されている操作パネルの視認性および操作性を向上させることができる（図４参照）。
【先行技術文献】
【特許文献】
【０００５】
【特許文献１】特開２０１２−００８９６８号公報
【特許文献２】特開２０１０−２５７４５８号公報
【発明の概要】
【発明が解決しようとする課題】
【０００６】
情報処理装置と携帯端末を連携して使用している際、ユーザは、携帯端末で普段利用している操作方法は、上記のように情報処理装置と連携している最中も、携帯端末では有効な操作であると判断して操作を行うことが推定される。
【０００７】
しかし、携帯端末と情報処理装置の操作パネルに性能差がある場合、携帯端末では受け付け可能であるが、情報処理装置の操作パネルでは受け付け不可能な操作を、情報処理装置と連携している最中の携帯端末が受け付けた際は、その操作情報を携帯端末から受信した情報処理装置は、その操作情報を誤認識し、ユーザが希望した動作とは違う動作を実行してしまう。
【０００８】
特許文献１に開示の発明は、車載機器の操作パネルでは入力不可能であって、携帯端末側で入力可能な操作コマンドを、代替えの入力方法によって実現するものであり、特許文献２に記載の発明は、マルチタッチを認識不可能な操作パネルでマルチタッチを受け付けた場合の誤操作を防ぐことができるものである。両者は共に、情報処理装置と携帯端末が連携中に発生する誤認識の問題を解決することができるものではない。
【０００９】
また、日々進化する携帯端末側の機能に情報処理装置を逐次対応させることは煩わしい。
【００１０】
本発明は、上記の問題を解決するものであり、操作表示装置と携帯端末が連携して操作表示を可能とする際に、操作表示装置では受け付け不可能な操作を携帯端末が受け付けた場合における操作表示装置での誤認識を防止する操作表示システム、プログラム、携帯端末、操作表示装置、及び携帯端末プログラムを提供することを目的としている。
【課題を解決するための手段】
【００１１】
かかる目的を達成するための本発明の要旨とするところは、次の各項の発明に存する。
【００１２】
［１］操作部と表示部と通信部とを備えた操作表示装置と、操作部と表示部と通信部とを備えた携帯端末とを有する操作表示システムにおいて、
前記携帯端末で操作を受け付けた場合および前記操作表示装置で操作を受け付けた場合にその操作に応じて前記携帯端末に表示する画面と前記操作表示装置に表示する画面とが連携するようにこれらの表示内容を制御する連携制御部と、
前記制御中に、前記操作表示装置で受け付け不可能な特定操作を前記携帯端末で受けた場合に、この特定操作を無効にする特定操作無効部と、
を有する
ことを特徴とする操作表示システム。
【００１３】
上記［１］および下記［１０］、［１７］、［２５］、［２６］に記載の発明では、操作表示装置と携帯端末を連携して両方の装置で操作表示を可能にする際に、携帯端末では受け付け（認識）が可能であるが、操作表示装置では受け付け（認識）が不可能である特定操作を、携帯端末が受け付けた場合に、その特定操作を無効にする。これにより、その特定操作を操作表示装置が誤認識することを防止し、ユーザの利便性を向上させる。
【００１４】
［２］前記連携制御部による前記制御の開始時を第１判断タイミングとし、
前記特定操作無効部は、前記携帯端末で受け付け可能な操作のうち前記特定操作となる全ての操作を前記第１判断タイミングで抽出して記憶し、前記携帯端末で操作を受け付ける毎にその操作が前記特定操作か否かを前記記憶に基づいて判断する
ことを特徴とする［１］に記載の操作表示システム。
【００１５】
上記［２］および下記［１１］、［１８］に記載の発明では、操作表示装置と携帯端末を連携して両方の装置で操作表示を可能にする状態の開始時に、特定操作となる全ての操作を抽出して記憶し、携帯端末で操作を受け付ける毎にその操作が特定操作か否かをその記憶に基づいて判断する。操作を受け付ける毎にその操作が操作表示装置で可能か否かを操作表示装置の全ての操作と比較して判断する場合に比べて、操作毎の判断処理を軽減することができる。
【００１６】
［３］前記携帯端末が操作を受け付けた時を第２判断タイミングとし、
前記特定操作無効部は、前記第２判断タイミングで、操作表示装置で受け付け可能な操作と前記受け付けた操作を比較することによって、前記受け付けた操作が前記特定操作であるか否かを判断する
ことを特徴とする［１］または［２］に記載の操作表示システム。
【００１７】
上記［３］および下記［１２］、［１９］に記載の発明では、操作表示装置と携帯端末を連携して操作表示を可能にする状態で、携帯端末が操作を受け付ける度に、その操作を、操作表示装置で受け付け可能な操作と比較し、その操作が特定操作であるか否かを調べる。
【００１８】
［４］前記連携制御部は、前記第１判断タイミング、または前記第２判断タイミングで調べた結果、前記特定操作が存在する場合に、その旨を警告する
ことを特徴とする［２］または［３］に記載の操作表示システム。
【００１９】
上記［４］および下記［１３］、［２０］に記載の発明では、携帯端末では受け付け（認識）が可能であるが、操作表示装置では受け付け（認識）が不可能である特定操作があるか否かを調べ、特定操作が存在する場合、その旨を警告する。第１判断タイミングで警告することで、ユーザは無効となる操作を予め認識して操作を行うことができる。第２判断タイミングで警告することで、行った操作が無効になったことをその都度認識して対処することができる。
【００２０】
［５］前記特定操作無効部は、前記操作表示装置に設けられており、
前記特定操作無効部は、前記携帯端末から受信した操作情報が、前記特定操作の操作情報であるか否かを判断し、当該操作情報が前記特定操作の操作情報である場合には、その操作情報を無効とする
ことを特徴とする［１］乃至［４］のいずれか１つに記載の操作表示システム。
【００２１】
上記［５］および下記［１４］に記載の発明では、操作表示装置が、携帯端末から受信した操作情報が特定操作の操作情報であるか否かを判別し、その操作情報が、特定操作の操作情報であれば、その操作情報を無効とする。この場合、携帯端末の処理を変更する必要がない利点がある。
【００２２】
［６］前記特定操作無効部は、前記携帯端末に設けられており、
前記特定操作無効部は、前記携帯端末に、前記特定操作の操作情報を前記操作表示装置に向けて送信させないことで前記特定操作を無効にする
ことを特徴とする［１］乃至［５］のいずれか１つに記載の操作表示システム。
【００２３】
上記［６］および下記［２１］に記載の発明では、操作表示装置と携帯端末を連携して両方の装置で操作表示を可能にする際に、携帯端末では受け付け（認識）が可能であるが、操作表示装置では受け付け（認識）が不可能である特定操作を携帯端末が受け付けた場合、携帯端末はその特定操作の操作情報を操作表示装置に向けて送信させないことでその特定操作を無効にする。この場合、操作表示装置側の処理負担が軽減される。
【００２４】
［７］前記特定操作無効部が、前記特定操作を無効にする際には、
前記携帯端末に前記特定操作の操作情報の代替情報として、前記操作表示装置で受け付け可能な操作に係る操作情報を前記連携制御部に送信させる
ことを特徴とする［６］に記載の操作表示システム。
【００２５】
上記［７］および下記［２２］に記載の発明では、操作表示装置と携帯端末を連携して両方の装置で操作表示を可能にする際に、携帯端末が特定操作を受け付けた際には、その特定操作の操作情報を送信せず、その操作情報の代替情報として、操作表示装置で受け付け（認識）可能な操作に係る操作情報を送信する。
【００２６】
［８］前記特定操作無効部は、前記特定操作が、前記携帯端末の表示内容のみを変更し、前記表示部の表示内容は変更しない第２特定操作である場合は、前記第２特定操作は無効にしない
ことを特徴とする［１］乃至［７］のいずれか１つに記載の操作表示システム。
【００２７】
上記［８］および下記［１５］、［２３］に記載の発明では、操作表示装置と携帯端末を連携して両方の装置で操作表示を可能にする際に、携帯端末が受け付けた特定操作が、携帯端末に表示する画面の表示内容のみを変更し、操作表示装置に表示する画面の表示内容を変更しない第２特定操作である場合はその第２特定操作を無効にしない。これにより、携帯端末で無効となる操作の種類が減って、携帯端末での操作性の低下を軽減することができる。
【００２８】
［９］前記連携制御部は、前記第２特定操作によって、前記携帯端末に表示する表示内容を変更する際に、当該変更後の表示内容の表示データが前記携帯端末内で不足した場合、当該不足している表示データを前記携帯端末に送信する
ことを特徴とする［８］に記載の操作表示システム。
【００２９】
上記［９］および下記［１６］、［２４］に記載の発明では、第２特定操作に応じて携帯端末に表示する画面の表示内容を変更する際に、当該画面を表示するための表示データが不足した場合、その不足している表示データを携帯端末が取得し、その取得した表示データに基づいて表示内容を変更後の画面を表示する。これにより、携帯端末で無効となる操作の種類をさらに少なくできる。
【００３０】
［１０］操作部と、
表示部と、
操作部と表示部と通信部とを備えた携帯端末と通信する通信部と、
特定操作無効部と、
を備える操作表示装置を、
前記携帯端末で操作を受け付けた場合および前記操作表示装置で操作を受け付けた場合にその操作に応じて前記携帯端末に表示する画面と前記操作表示装置に表示する画面とが連携するようにこれらの表示内容を制御すると共に、該制御中に、前記携帯端末では受け付け可能であるが前記操作表示装置では受け付けが不可能である特定操作を前記携帯端末で受けた場合に、この特定操作を無効にするように動作させる
ことを特徴とするプログラム。
【００３１】
［１１］前記制御の開始時を第１判断タイミングとし、
前記操作表示装置を、
前記携帯端末で受け付け可能な操作のうち前記特定操作となる全ての操作を前記第１判断タイミングで抽出して記憶し、前記携帯端末で操作を受け付ける毎にその操作が前記特定操作か否かを前記記憶に基づいて判断するように動作させる
ことを特徴とする［１０］に記載のプログラム。
【００３２】
［１２］前記携帯端末が操作を受け付けた時を第２判断タイミングとし、
前記操作表示装置を、
前記第２判断タイミングで、前記操作部で受け付け可能な操作と前記受け付けた操作を比較することによって、前記受け付けた操作が前記特定操作であるか否かを判断するように動作させる
ことを特徴とする［１０］または［１１］に記載のプログラム。
【００３３】
［１３］前記操作表示装置を、
前記第１判断タイミング、または前記第２判断タイミングで調べた結果、前記特定操作が存在する場合に、その旨を警告するように動作させる
ことを特徴とする［１１］または［１２］に記載のプログラム。
【００３４】
［１４］前記操作表示装置を、
前記携帯端末から受信した操作情報が、前記特定操作の操作情報であるか否かを判断し、前記特定操作の操作情報である場合にその操作情報を無効とすることで、前記特定操作を無効とするように動作させる
ことを特徴とする［１０］乃至［１３］のいずれか１つに記載のプログラム。
【００３５】
［１５］前記操作表示装置を、
前記特定操作が、前記携帯端末の表示内容のみを変更し、前記表示部の表示内容は変更しない第２特定操作である場合は、前記第２特定操作は無効にしないように動作させる
ことを特徴とする［１０］乃至［１４］のいずれか１つに記載のプログラム。
【００３６】
［１６］前記操作表示装置を、
前記第２特定操作によって、前記携帯端末に表示する表示内容の表示データが不足した場合、当該不足している表示データを前記携帯端末に送信するように動作させる
ことを特徴とする［１５］に記載のプログラム。
【００３７】
［１７］操作部と、
操作表示装置と通信すると共に、前記携帯端末で操作を受け付けた場合および前記操作表示装置で操作を受け付けた場合にその操作に応じた画面を表示する前記操作表示装置から前記画面と連携する画面の表示データを受信する通信部と、
前記通信部が受信した表示データに基づいて画面を表示する表示部と、
前記通信中に、前記操作部では受け付け可能であるが、前記操作表示装置では受け付けが不可能である特定操作を前記操作部で受けた場合にこの特定操作を無効にする特定操作無効部と
を有する
ことを特徴とする携帯端末。
【００３８】
［１８］前記操作表示装置と通信を開始した時を第１判断タイミングとし、
前記特定操作無効部は、前記操作部で受け付け可能な操作のうち前記特定操作となる全ての操作を前記第１判断タイミングで抽出して記憶し、前記操作部で操作を受け付ける毎にその操作が前記特定操作か否かを前記記憶に基づいて判断する
ことを特徴とする［１７］に記載の携帯端末。
【００３９】
［１９］前記操作部が操作を受け付けた時を第２判断タイミングとし、
前記特定操作無効部は、前記第２判断タイミングで、前記操作表示装置で受け付け可能な操作と前記受け付けた操作を比較することによって、前記受け付けた操作が前記特定操作であるか否かを判断する
ことを特徴とする［１７］または［１８］に記載の携帯端末。
【００４０】
［２０］前記携帯端末は、前記第１判断タイミング、または前記第２判断タイミングで調べた結果、前記特定操作が存在する場合に、その旨を警告するように動作させる
ことを特徴とする［１８］または［１９］に記載の携帯端末。
【００４１】
［２１］前記特定操作無効部は、前記通信部に、前記特定操作の操作情報を前記操作表示装置に向けて送信させないことで前記特定操作を無効にする
ことを特徴とする［１７］乃至［２０］のいずれか１つに記載の携帯端末。
【００４２】
［２２］前記特定操作無効部が、前記特定操作を無効にする際には、
前記通信部に前記特定操作の操作情報の代替情報として、前記操作表示装置で受け付け可能な操作に係る操作情報を前記操作表示装置に送信させる
ことを特徴とする［２１］に記載の携帯端末。
【００４３】
［２３］前記特定操作無効部は、前記特定操作が、前記表示部の表示内容のみを変更し、前記操作表示装置の表示内容は変更しない第２特定操作である場合は、前記第２特定操作は無効にしない
ことを特徴とする［１７］乃至［２２］のいずれか１つに記載の携帯端末。
【００４４】
［２４］前記通信部は、前記第２特定操作によって、前記表示部に表示する表示内容の表示データが不足した場合、当該不足している表示データを前記操作表示装置から取得し、
前記表示部は、前記取得した表示データに基づいて画面を表示する
ことを特徴とする［２３］に記載の携帯端末。
【００４５】
［２５］操作部と、
表示部と、
操作部と表示部と通信部とを備えた携帯端末と通信する通信部と、
特定操作無効部と、
制御部と、
を備え、
前記制御部は、前記携帯端末で操作を受け付けた場合および前記操作表示装置で操作を受け付けた場合にその操作に応じて前記携帯端末に表示する画面と前記操作表示装置に表示する画面とが連携するようにこれらの表示内容を制御し、
前記特定操作無効部は、前記制御中に、前記携帯端末では受け付け可能であるが前記操作表示装置では受け付けが不可能である特定操作を前記携帯端末で受けた場合に、この特定操作を無効にする
ことを特徴とする操作表示装置。
【００４６】
［２６］操作部と、
操作表示装置と通信すると共に、前記携帯端末で操作を受け付けた場合および前記操作表示装置で操作を受け付けた場合にその操作に応じた画面を表示する前記操作表示装置から前記画面と連携する画面の表示データを受信する通信部と、
前記通信部が受信した表示データに基づいて画面を表示する表示部と、
特定操作無効部と、
を備える携帯端末を、
前記特定操作無効部は、前記通信中に、前記操作部では受け付け可能であるが、前記操作表示装置では受け付けが不可能である特定操作を前記操作部で受けた場合にこの特定操作を無効にするように動作させる
ことを特徴とする携帯端末プログラム。
【発明の効果】
【００４７】
本発明に係る操作表示システム、プログラム、携帯端末、操作表示装置、及び携帯端末プログラムによれば、操作表示装置と携帯端末が連携して操作表示を可能とする際に、操作表示装置での誤認識、誤動作を防ぎ、ユーザの操作性および利便性を向上させることができる。
【図面の簡単な説明】
【００４８】
【図１】本発明の実施の形態に係る操作表示システムを示す説明図である。
【図２】本発明の実施の形態に係る画像形成装置の概略構成を示すブロック図である。
【図３】本発明の実施の形態に係る携帯端末の概略構成を示すブロック図である。
【図４】連携パネルモード中の操作パネルと携帯端末の様子を示す説明図である。
【図５】連携パネルモード中に、携帯端末にピンチイン操作を行った場合の様子を示す説明図である。
【図６】態様例１において、連携パネルモードが開始されてから、終了するまでの間に画像形成装置で行われる処理の流れの前半を示す流れ図である。
【図７】図６の処理の流れの続きを示す流れ図である。
【図８】操作無効リストの一例を示す説明図である。
【図９】連携パネルモードが開始されてから、終了するまでの間に携帯端末で行われる処理の流れの前半を示す流れ図である。
【図１０】態様例２において、図９の処理の続きを示す流れ図である。
【図１１】態様例３において、図９の処理の続きを示す流れ図である。
【図１２】態様例４において、連携パネルモード中に、携帯端末にピンチアウト操作を行った場合の様子を示す説明図である。
【図１３】態様例４において、図９の処理の続きを示す流れ図である。
【図１４】態様例５において、連携パネルモード中に、携帯端末にピンチイン操作を行った場合の様子を示す説明図である。
【図１５】態様例５において、図９の処理の続きを示す流れ図である。
【発明を実施するための形態】
【００４９】
以下、図面に基づき本発明の実施の形態を説明する。
【００５０】
図１は、本発明の実施の形態に係る操作表示システム５を示す。操作表示システム５は、操作表示装置としての機能を備えた画像形成装置（図中ではＭＦＰとも記す。）１０と携帯端末４０がＬＡＮ(Local Area Network)等のネットワークで接続されて構成されている。
【００５１】
携帯端末４０は、持ち歩きが可能な端末であり、表示部５１と操作部５２を含む操作表示部５０を備えている（図３参照）。
【００５２】
画像形成装置１０は、原稿を光学的に読み取ってその複製画像を記録紙に印刷するコピージョブ、読み取った原稿の画像データをファイルにして保存したり外部装置へ送信したりするスキャンジョブ、ＰＣから送出されたデータに係る画像を記録紙に印刷して出力するプリントジョブなどのジョブを実行する機能を備えた、所謂、複合機である。画像形成装置１０には、表示部３１と操作部３２を含み装置本体の操作を行う操作パネル３０が設置されており、ユーザはこの操作パネル３０を使用して、各種の設定を行うことができる（図２参照）。
【００５３】
また、ユーザは、無線通信で画像形成装置１０と接続された状態の携帯端末４０からも画像形成装置１０を操作することができる。以後、無線通信で接続された状態での画像形成装置１０と携帯端末４０の操作表示モードを、連携パネルモードと呼ぶ。
【００５４】
連携パネルモードの状態では、操作パネル３０と携帯端末４０を並べて配置し、画像形成装置１０と携帯端末４０を連携させることで、表示面積の拡張を図り、操作性を向上させることができる。連携パネルモードでは、ユーザは、操作パネル３０と、操作表示部５０の両方に対して操作を行うことができる。
【００５５】
連携パネルモードでは、画像形成装置１０の操作パネル３０に表示しきれない部分（例えば、スクロールすることで全体像が確認できる画面において、現在、操作パネル３０に表示されていない部分）を、操作パネル３０の隣に配置した携帯端末４０の操作表示部５０に表示させる（図４参照）。また、画像形成装置１０は、携帯端末４０で操作を受け付けた場合および操作パネル３０で操作を受け付けた場合には、その操作に応じて携帯端末４０に表示する画面と操作パネル３０に表示する画面とが連携するように、これらの表示内容を制御する。
【００５６】
本発明の実施の形態では、画像形成装置１０の操作パネル３０と、携帯端末４０の操作表示部５０には性能差があり、操作表示部５０はマルチタッチ操作（ピンチイン操作、ピンチアウト操作）の受け付けが可能であるが、操作パネル３０はマルチタッチ操作の受け付けは不可能なものとする。
【００５７】
本発明の操作表示システム５は、連携パネルモード時に、操作パネル３０では受け付け不可能な特定操作（本発明の実施の形態では、マルチタッチ操作とする）を操作表示部５ｄ０が受け付けた際に、その特定操作の操作情報を画像形成装置１０が誤認識することを防止する機能を果たす。誤認識を防止する際には、その特定操作の操作情報を無効としたり、画像形成装置１０が認識可能な操作の操作情報（代替情報）に変換したりする。
【００５８】
図２は、本発明の実施の形態に係る画像形成装置１０の概略構成を示すブロック図である。画像形成装置１０は、当該画像形成装置１０の動作を統括的に制御するＣＰＵ(Central Processing Unit)１１を有している。ＣＰＵ１１にはバスを通じてＲＯＭ(Read Only Memory)１２と、ＲＡＭ(Random Access Memory)１３と、不揮発メモリ１４と、ハードディスク装置１５と、画像処理部１６と、画像読取部１７と、プリンタ部１８と、ファクシミリ通信部１９と、ネットワーク通信部２０と、操作パネル３０とを備えている。
【００５９】
ＣＰＵ１１は、ＯＳ（Operating System）プログラムをベースとし、その上で、ミドルウェアやアプリケーションプログラムなどを実行する。また、ＣＰＵ１１は、操作パネル３０の表示内容を制御する制御部としての機能を果たす。
【００６０】
ＲＯＭ１２には、各種のプログラムが格納されており、これらのプログラムに従ってＣＰＵ１１が各種処理を実行することで画像形成装置１０の各機能が実現される。また、ＲＯＭ１２には、画像形成装置１０の一連の制御をＣＰＵ１１が実行するためのプログラムが格納されている。
【００６１】
ＲＡＭ１３は、ＣＰＵ１１がプログラムに基づいて処理を実行する際に各種のデータを一時的に格納するワークメモリや画像データを格納する画像メモリなどとして使用される。
【００６２】
不揮発メモリ１４は、電源をオフにしても記憶内容が破壊されないメモリ（フラッシュメモリ）であり、各種設定情報の保存などに使用される。ハードディスク装置１５は、大容量の不揮発の記憶装置であり、ＯＳプログラムや各種アプリケーションプログラム、ユーザ情報、印刷データや画像データ、ジョブ履歴などが保存される。
【００６３】
画像処理部１６は、画像の拡大縮小、回転などの処理のほか、印刷データをイメージデータに変換するラスタライズ処理、画像データの圧縮、伸張処理などを行う。
【００６４】
画像読取部１７は、原稿を光学的に読み取って画像データを取得する機能を果たす。画像読取部１７は、例えば、原稿に光を照射する光源と、その反射光を受けて原稿を幅方向に１ライン分読み取るラインイメージセンサと、ライン単位の読取位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００６５】
プリンタ部１８は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成は他の方式でもかまわない。
【００６６】
ファクシミリ通信部１９は、ファクシミリ機能を備えた外部装置と公衆回線を通じて画像データを送受信する機能を果たす。
【００６７】
ネットワーク通信部２０は、ＬＡＮなどのネットワークを通じて携帯端末４０や、その他の外部装置との間でデータを通信する機能を果たす。ネットワーク通信部２０は、連携パネルモード時には、操作パネル３０に表示されている画面と連携する画面の表示データを携帯端末４０に送信する。
【００６８】
操作パネル３０は、表示部３１と、操作部３２とを備えている。このうち操作部３２は、スタートボタンなどのスイッチ部３３とタッチパネル部３４とを備えている。表示部３１は、液晶ディスプレイ（ＬＣＤ…Liquid Crystal Display）などで構成され、各種の操作画面、設定画面などを表示する機能を果たす。本実施の形態では、操作パネル３０が表示する表示内容の制御、操作パネル３０による操作の受け付けに関する制御はＣＰＵ１１が行う。
【００６９】
タッチパネル部３４は、表示部３１上に設けられている。タッチパネル部３４は、タッチペンや指などで押下された表示部３１上のタッチ位置（座標位置）を検出する。ＣＰＵ１１は、継続的に検出されるタッチ位置の変化（操作情報）から、フリック操作やドラッグ操作などを認識する。ただし、本発明の実施の形態では、マルチタッチ操作（ピンチイン操作、ピンチアウト操作）は認識不可能とする。
【００７０】
本実施の形態では、ＣＰＵ１１は、連携パネルモードで動作中は、携帯端末４０の操作表示部５０（図３参照）に表示させる画面を決定し、その決定した画面の表示データを、ネットワーク通信部２０を使用して携帯端末４０に送信する。また、ＣＰＵ１１は、連携パネルモードで動作中に、携帯端末４０の操作表示部５０が受け付けた操作の操作情報を携帯端末４０から受信した場合、もしくは、操作パネル３０が受け付けた操作の操作情報を取得した場合、その操作情報を解析、認識し、画像形成装置１０に反映させる。
【００７１】
図３は、携帯端末４０の概略構成を示すブロック図である。携帯端末４０は、当該携帯端末４０の動作を統括的に制御するＣＰＵ４１を有している。ＣＰＵ４１にはバスを通じてＲＯＭ４２と、ＲＡＭ４３と、不揮発メモリ４４と、ハードディスク装置４５と、ネットワーク通信部４６と、操作表示部５０とを備えている。
【００７２】
ＣＰＵ４１は、ＯＳプログラムをベースとし、その上で、ミドルウェアやアプリケーションプログラムなどを実行する。また、ＣＰＵ４１は、操作表示部５０の表示内容を制御する制御部としての機能を果たす。
【００７３】
ＲＯＭ４２には、各種のプログラムが格納されており、これらのプログラムに従ってＣＰＵ４１が各種処理を実行することで携帯端末４０の各機能が実現される。また、ＲＯＭ４２には、携帯端末４０の一連の制御をＣＰＵ４１が実行するためのプログラムが格納されている。
【００７４】
ＲＡＭ４３は、ＣＰＵ４１がプログラムに基づいて処理を実行する際に各種のデータを一時的に格納するワークメモリなどとして使用される。
【００７５】
不揮発メモリ４４は、電源をオフにしても記憶内容が破壊されないメモリ（フラッシュメモリ）であり、各種設定情報の保存などに使用される。ハードディスク装置４５は、大容量の不揮発の記憶装置であり、ＯＳプログラムや各種アプリケーションプログラムなどが保存される。連携パネルモード時に携帯端末４０を動作させるためのプログラム（これを、操作表示アプリとする）なども記憶される。
【００７６】
ネットワーク通信部４６は、ＬＡＮなどのネットワークを通じて画像形成装置１０やその他の外部装置との間でデータを通信する機能を果たす。ネットワーク通信部４６は、連携パネルモード時には、操作パネル３０に表示されている画面と連携する画面の表示データを画像形成装置１０から受信する。
【００７７】
操作表示部５０は、表示部５１と、操作部５２とを備えている。このうち操作部５２は、スタートボタンなどのスイッチ部５３とタッチパネル部５４とを備えている。表示部５１は、液晶ディスプレイなどで構成され、各種の操作画面、設定画面などを表示する機能を果たす。
【００７８】
タッチパネル部５４は、表示部５１上に設けられている。タッチパネル部５４は、タッチペンや指などで押下された表示部５１上のタッチ位置（座標位置）を検出する。ＣＰＵ４１は、継続的に検出されるタッチ位置の変化から、フリック操作やドラッグ操作、マルチタッチ操作などを認識する。
【００７９】
本実施の形態では、ＣＰＵ４１は、連携パネルモード時に、ネットワーク通信部４６が画像形成装置１０から受信した表示データに基づいて操作表示部５０に各種の画面を表示させる。また、ＣＰＵ４１は操作表示部５０が受け付けた操作の内容を示す操作情報を、ネットワーク通信部４６を使用して画像形成装置１０に送信する。
【００８０】
また、本実施の形態では、操作パネル３０が受け付け可能（ＣＰＵ１１が認識可能）な操作は、セレクト操作、ダブルタップ操作、ドラッグ操作、フリック操作の４種類の操作であり、操作表示部５０が受け付け可能な操作は、前述の４種類の操作に、ピンチイン操作、ピンチアウト操作を加えた６種類の操作であるものとする。
【００８１】
セレクト操作は、タッチパネル部（３４、５４）上の所定の座標を押下し、ほとんど位置を動かさないで指を離す操作である。ダブルタップ操作は、タッチパネル部（３４、５４）上の所定の座標に対して、短時間の間に２度タッチする操作であり、マウスにおけるダブルクリックに相当する。
【００８２】
ドラッグ操作は、タッチパネル部（３４、５４）上の所定の座標を押下し、そのまま上下左右にゆっくり指をずらし、指の移動が停止してからタッチパネル部（３４、５４）から指を離す操作である。
【００８３】
フリック操作はタッチパネル部（３４、５４）上の所定の座標を押下し、そのまま上下左右いずれかの方向に素早く払う操作である。なお、払う動作の最後にタッチパネル部（３４、５４）から指が離れる。
【００８４】
ピンチイン操作は、タッチパネル部（３４、５４）上の所定の２つの座標を押下し、そのまま２つの指をずらしながら近づけ、指の移動が停止してからタッチパネル部（３４、５４）から指を離す操作である。ピンチアウト操作は、タッチパネル部（３４、５４）上の所定の２つの座標を押下し、そのまま２つの指をずらしながら遠ざけ、指の移動が停止してからタッチパネル部（３４、５４）から指を離す操作である。なお、ピンチイン操作とピンチアウト操作を総称してマルチタッチ操作と呼ぶ。
【００８５】
画像形成装置１０と携帯端末４０が通信を確立すると、通信を確立した両方の装置は自動的に連携パネルモード状態になる。まず、通信を確立する際の流れについて説明する。
【００８６】
（１、画像形成装置１０側から通信を確立する場合）
画像形成装置１０側から通信を確立する場合、画像形成装置１０は、ユーザから通信確立の開始操作を受けると、携帯端末４０との通信状況をチェックし、通信可能な携帯端末４０と通信を確立する。
【００８７】
（２、携帯端末４０側から通信を確立する場合）
携帯端末４０側から通信を確立する場合、ユーザが携帯端末４０で操作表示アプリを立ち上げると、その操作表示アプリが画像形成装置１０への通信確立要求を出し、これを受信した画像形成装置１０との間で通信が確立される。なお、本発明の実施の形態では、画像形成装置１０が同時に通信を確立することが可能な携帯端末４０の台数は１台のみとする。操作表示アプリが通信要求を出した時点で、既に画像形成装置１０が他の携帯端末４０と通信を確立していた場合、通信が拒否される。
【００８８】
図４は、画像形成装置１０と携帯端末４０が通信を確立し、連携パネルモード状態になった際の様子を示す。通信が確立し、連携パネルモードが開始されると、まず、画像形成装置１０は、ユーザに、操作パネル３０に対して携帯端末４０を設置すべき位置（方向）を通知する。この通知は画像形成装置１０で行っても、携帯端末４０で行ってもよい。図４では、この通知に従い、ユーザが操作パネル３０の右側に携帯端末４０を設置した状態を示す。
【００８９】
操作パネル３０に表示されている画面（第１画面９０とする）には、複数の項目６０が横一列に並んで表示されており、操作表示部５０には第１画面９０の続きとなる画面（第２画面９１とする）が表示されている。図４では、第１画面９０には５つの項目６０が表示されており、そのうちの一つは第１画面９０の右端で見切れている。第２画面９１には、その項目の、見切れて第１画面９０に表示されない部分と、その他の２つの項目６０が表示されている。
【００９０】
画像形成装置１０は、操作パネル３０か操作表示部５０が、項目６０に対する選択操作（ここではセレクト操作とする）を受け付けた場合、その項目６０に対応する機能を実行する。また、左右方向のフリック操作を受け付けた場合は、第１画面９０と第２画面９１の表示内容を連携（連動）させながら、そのフリック操作の方向に項目６０の列をスクロールさせる。
【００９１】
第１画面９０と第２画面９１の表示内容を連携しつつ変更する（たとえばスクロール）際には、ＣＰＵ１１が第２画面９１に表示させる変更後の画面を決定し、その画面の表示データを、ネットワーク通信部２０を使用して携帯端末４０に送信する。この表示データを受信した携帯端末４０は、その表示データに基づいて変更後の画面を操作表示部５０に表示する。
【００９２】
図５は、図４の状態で、操作表示部５０がマルチタッチ操作（ここではピンチイン操作を行ったものとする）を受け付けた際の様子を示す。ＣＰＵ１１はマルチタッチ操作を認識することが不可能なので、その操作を無効とし、その旨を操作パネル３０に表示している。
【００９３】
図６、図７は、連携パネルモードが開始されてから、終了するまでの間に、画像形成装置１０が行う処理の流れを示す。ここでは、連携パネルモード中に、画像形成装置１０で受け付け（認識）不可能な操作（特定操作とする）を携帯端末４０が受け付けた場合、画像形成装置１０は、携帯端末４０から受信したその特定操作の操作情報を無効とする。まず、携帯端末４０と通信を確立し、連携パネルモードを開始する（ステップＳ１０１）。
【００９４】
通信を確立した携帯端末４０に、タッチインターフェース情報の送信要求を送信し、携帯端末４０からタッチインターフェース情報を受信する（ステップＳ１０２）。タッチインターフェース情報とは、その装置が受け付け（認識）可能な全ての操作の種類を示す情報である。たとえば、本発明の実施の形態では、画像形成装置１０のタッチインターフェース情報には、セレクト操作、ダブルタップ操作、ドラッグ操作、フリック操作の４種類の操作の情報が含まれており、携帯端末４０のタッチインターフェース情報には、セレクト操作、ダブルタップ操作、ドラッグ操作、フリック操作、ピンチイン操作、ピンチアウト操作の６種類の操作の情報が含まれている。
【００９５】
次に、画像形成装置１０は、ステップＳ１０２で取得した携帯端末４０のタッチインターフェース情報と、自装置のタッチインターフェース情報を比較する（ステップＳ１０３）。両者のタッチインターフェース情報に差異が無ければ（ステップＳ１０３；Ｎｏ）、ステップＳ１０６に進む。
【００９６】
差異がある場合は（ステップＳ１０３；Ｙｅｓ）、両者のタッチインターフェース情報を基に操作無効リスト８０（図８参照）を作成する（ステップＳ１０４）。
【００９７】
図８には、ステップＳ１０４で作成された操作無効リスト８０の一例を示す。操作無効リスト８０には、画像形成装置１０と携帯端末４０で受け付け（認識）可能な全ての操作の種類と、その種類ごとに、画像形成装置１０で受け付け可能か否か、携帯端末４０で受け付け可能か否か、両方の装置で受け付け可能か否かが登録される。たとえば、図８の操作無効リスト８０ではダブルタップ操作は画像形成装置１０、携帯端末４０の両方の装置で受け付け可能である。しかし、ピンチアウト操作は携帯端末４０では受け付け可能であるが画像形装置１０では受け付け不可能である。
【００９８】
なお、図８の操作無効リスト８０には画像形成装置１０と携帯端末４０で受け付け（認識）可能な全ての操作の種類を登録したが、全ての操作の種類を登録しなくても、画像形成装置１０が受け付け（認識）不可能な操作の種類のみ登録しておけば足りる。操作無効リスト８０上において、画像形成装置１０が受け付け（認識）不可能な操作は、連携パネルモード中の携帯端末４０が受け付けた場合に無効となる操作（特定操作）となる。
【００９９】
図６に戻って説明を続ける。画像形成装置１０は、操作無効リスト８０を参照して、連携パネルモード中に携帯端末４０が受け付けたら無効となる操作（特定操作）の種類を通知して（ステップＳ１０５）、図７のステップＳ１０６へ移行する。この通知は、操作パネル３０に表示させてもよいし、操作表示部５０に表示させてもよい。操作表示部５０に表示させる場合は、画像形成装置１０がこの通知を含む画面の表示データを携帯端末４０に送信し、この表示データを受信した携帯端末４０が、この表示データに基づいて操作表示部５０に、当該通知を含む画面を表示する。
【０１００】
ステップＳ１０６では、画像形成装置１０は、操作情報の受け付けを監視する。操作情報を取得するまでは（ステップＳ１０７；Ｎｏ）ステップＳ１０６に戻って処理を継続する。操作情報を取得したら（ステップＳ１０７；Ｙｅｓ）、その操作情報が、操作パネル３０から取得した操作情報であるか、携帯端末４０から受信した操作情報であるか、つまり、その操作情報の基となる操作が操作パネル３０にて行われた操作であるか、携帯端末４０にて行われた操作であるかを調べる（ステップＳ１０８）。
【０１０１】
携帯端末４０から受信した操作情報であれば（ステップＳ１０８；Ｙｅｓ）、その操作情報の示す操作が、特定操作であるか否かを調べる（ステップＳ１０９）。その操作情報の示す操作が、ステップＳ１０４で作成した操作無効リスト８０上において、画像形成装置１０が受け付け不可能な操作に該当する場合は、その操作は特定操作であると判断する。
【０１０２】
操作情報の示す操作が特定操作であれば（ステップＳ１０９；Ｙｅｓ）、その操作情報を無効とし（ステップＳ１１０）、ステップＳ１１２に進む。この時、その特定操作が無効である旨を操作パネル３０か、操作表示部５０の少なくともいずれか一方にて通知してもよい。
【０１０３】
操作情報の示す操作が特定操作でなければ（ステップＳ１０９；Ｎｏ）、その操作情報を有効な操作情報として、その操作情報に応じて操作パネル３０と携帯端末４０に表示されている画面の表示内容を変更し（ステップＳ１１１）、ステップＳ１１２に進む。
【０１０４】
その操作情報が、操作パネル３０から取得した操作情報であれば、（ステップＳ１０８；Ｎｏ）、その操作情報を有効として、その操作情報に応じて操作パネル３０と携帯端末４０に表示されている画面の表示内容を変更し（ステップＳ１１１）、ステップＳ１１２に進む。
【０１０５】
連携パネルモードが終了するまでは（ステップＳ１１２；Ｎｏ）、ステップＳ１０６に戻って処理を継続する。連携パネルモードが終了したら（ステップＳ１１２；Ｙｅｓ）、処理を終了する。
【０１０６】
ここまで説明した図６、図７の処理の流れを態様例１とする。態様例１では、画像形成装置１０が、連携パネルモード中の携帯端末４０から特定操作の操作情報を受信しても、その操作情報を無効とすることで、操作情報の誤認識を防止することができる。
【０１０７】
態様例１では、連携パネルモード中に携帯端末４０が受け付けた操作が、無効となる操作（特定操作）か否かを画像形成装置１０（ＣＰＵ１１）が判断する場合について説明した。以後、この判断を携帯端末４０（ＣＰＵ４１）で行う場合について、複数の態様例を挙げて説明する。
【０１０８】
＜態様例２＞
（携帯端末４０で操作が無効であるか否かを判断する。）
態様例２では、連携パネルモード中に携帯端末４０が受け付けた操作が、無効となる操作（特定操作）か否かを携帯端末４０側で判断し、無効となる操作（特定操作）であると判断した場合、その特定操作を携帯端末４０側で無効とする。
【０１０９】
図９、図１０は、態様例２において、連携パネルモードが開始されてから、終了するまでの間に携帯端末４０で行われる処理の流れを示す。図９は操作無効リスト８０を作成するまでの流れについて示す。図１０は受け付けた操作が無効となる操作であるか否かを判断する流れについて示す。
【０１１０】
まず、画像形成装置１０と通信を確立し、連携パネルモードを開始する（ステップＳ２０１）。
【０１１１】
通信を確立した画像形成装置１０に、タッチインターフェース情報の送信要求を送信し、画像形成装置１０からタッチインターフェース情報を受信する（ステップＳ２０２）。次に、ステップＳ２０２で取得した画像形成装置１０のタッチインターフェース情報と、携帯端末４０のタッチインターフェース情報を比較する（ステップＳ２０３）。両者のタッチインターフェース情報に差異が無ければ（ステップＳ２０３；Ｎｏ）、ステップＳ２０６に進む。
【０１１２】
差異がある場合は（ステップＳ２０３；Ｙｅｓ）、両者のタッチインターフェース情報を基に操作無効リスト８０（図８参照）を作成する（ステップＳ２０４）。操作無効リスト８０を参照して、連携パネルモード中に携帯端末４０が受けつけたら無効となる操作（特定操作）の種類を通知する（ステップＳ２０５）。この通知は、操作パネル３０に表示させてもよいし、携帯端末４０の操作表示部５０に表示させてもよい。操作パネル３０に表示させる場合は、携帯端末４０が、特定操作となる操作の種類の情報を画像形成装置１０に送信し、この情報を受信した画像形成装置１０が、操作パネル３０に表示する。
【０１１３】
ここまでが図９に示す処理である。以後、図１０に示す処理の流れについて説明する。
【０１１４】
携帯端末４０は、連携パネルモードで操作表示部５０での操作の受け付けを監視する（ステップＳ２０６）。操作表示部５０が操作を受け付け、それにより操作情報を取得するまでは（ステップＳ２０７；Ｎｏ）ステップＳ２０６に戻って処理を継続する。操作情報を取得したら（ステップＳ２０７；Ｙｅｓ）、その操作情報の示す操作が、特定操作か否かを調べる（ステップＳ２０８）。その操作情報の示す操作が、ステップＳ２０４で作成した操作無効リスト８０上において画像形成装置１０が受け付け不可能な操作に該当する場合は、その操作は特定操作であると判断する。
【０１１５】
操作情報の示す操作が特定操作であれば（ステップＳ２０８；Ｙｅｓ）、その操作情報を画像形成装置１０に送信せず（ステップＳ２０９）、その操作情報に係る操作を無効な操作とし（ステップＳ２１０）、ステップＳ２１３に進む。この時、その操作が無効である旨を操作パネル３０か、操作表示部５０の少なくともいずれか一方にて通知してもよい。
【０１１６】
操作情報の示す操作が特定操作でなければ（ステップＳ２０８；Ｎｏ）、その操作の操作情報を画像形成装置１０に送信する（ステップＳ２１１）。その操作に合わせて表示内容を変更した後の画面の表示データを画像形成装置１０から取得し、その表示データに基づいて新たな画面（表示内容変更後の画面）を操作表示部５０に表示する（ステップＳ２１２）。その後、ステップＳ２１３に進む。
【０１１７】
連携パネルモードが終了するまでは（ステップＳ２１３；Ｎｏ）、ステップＳ２０６に戻って処理を継続する。連携パネルモードが終了したら（ステップＳ２１３；Ｙｅｓ）、処理を終了する。
【０１１８】
態様例２では、携帯端末４０側で、連携パネルモード中の携帯端末４０が受け付けた操作が無効となる操作（特定操作）か否かを判断し、無効となる操作（特定操作）であると判断した場合は、その特定操作の操作情報を画像形成装置１０に送信しないことでその特定操作を無効にする。これにより画像形成装置１０は、連携パネルモード中の携帯端末４０から認識不可能な操作情報を受信せず、よって操作情報の誤認識を防止することができる。
【０１１９】
＜態様例３＞
（特定操作の操作情報に代わる代替情報を画像形成装置１０に送信する。）
態様例３では、連携パネルモード中の携帯端末４０が、受け付けた操作を無効な操作（特定操作）であると判断した場合に、その特定操作の操作情報に代えて代替情報（画像形成装置１０で認識可能な操作情報）を画像形成装置１０に送信する。
【０１２０】
態様例３において、連携パネルモードが開始されてから、終了するまでの間に携帯端末４０で行われる処理の流れを説明する。まずは、態様例２におけるステップＳ２０１〜ステップＳ２０５と同様の処理を行う（図９参照）。図１１は態様例３におけるその続きの処理を示す。なお、態様例３では、ステップＳ２０３において差異が無い場合は（ステップＳ２０３；Ｎｏ）、ステップＳ２０６ではなく、ステップＳ３０６に進む。
【０１２１】
まず、操作表示部５０での操作の受け付けを監視する（ステップＳ３０６）。操作表示部５０が操作を受け付け、それにより操作情報を取得するまでは（ステップＳ３０７；Ｎｏ）ステップＳ３０６に戻って処理を継続する。操作情報を取得したら（ステップＳ３０７；Ｙｅｓ）、その操作情報の示す操作が特定操作であるか否かを調べる（ステップＳ３０８）。その操作情報の示す操作が、ステップＳ２０４で作成した操作無効リスト８０上において画像形成装置１０が受け付け不可能な操作に該当する場合は、その操作は特定操作であると判断する。
【０１２２】
操作情報の示す操作が特定操作であれば（ステップＳ３０８；Ｙｅｓ）、その操作の操作情報のタッチ操作変換処理を行う（ステップＳ３０９）。タッチ操作変換処理では、ステップＳ３０７で取得した操作情報を、画像形成装置１０で認識可能な操作情報（代替情報）に変換している。たとえば、取得した操作情報がピンチアウト操作やピンチイン操作の操作情報である場合は、その操作（ピンチアウト操作やピンチイン操作）において押下された２つの地点のうちの一方に対するセレクト操作の操作情報に変換したりする。
【０１２３】
変換後の代替情報は、ステップＳ２０２で取得した画像形成装置１０のタッチインターフェース情報を基に決定する。具体的には、ステップＳ２０４で操作無効リストを作成する際に、変換テーブルを作成しておき、変換処理の際に使用する。この変換テーブルには、画像形成装置１０が受け付け不可能な操作ごとに、画像形成装置で受け付け可能な操作が割り当てられている。たとえば、ピンチアウト操作にダブルタップ操作を割り当てた場合、連携パネルモード中の携帯端末４０がピンチアウト操作を受け付けたら、そのピンチアウト操作の操作情報を、ダブルタップ操作の操作情報に変換する。その後、変換後の操作情報（代替情報）を画像形成装置１０に送信する（ステップＳ３１０）。
【０１２４】
操作情報の示す操作が特定操作でなければ（ステップＳ３０８；Ｎｏ）、その操作の操作情報を画像形成装置１０に送信する（ステップＳ３１０）。
【０１２５】
操作情報を画像形成装置１０に送信後は、その操作に合わせて表示内容を変更した後の画面の表示データを画像形成装置１０から取得し、その表示データに基づいて新たな画面（表示内容を変更した後の画面）を操作表示部５０に表示する（ステップＳ３１１）。その後、ステップＳ３１２に進む。
【０１２６】
連携パネルモードが終了するまでは（ステップＳ３１２；Ｎｏ）、ステップＳ３０６に戻って処理を継続する。連携パネルモードが終了したら（ステップＳ３１２；Ｙｅｓ）、処理を終了する。
【０１２７】
態様例３では、携帯端末４０側で、連携パネルモード中に受け付けた操作が無効となる操作（特定操作）か否かを判断する。無効となる操作（特定操作）であると判断した場合は、その特定操作の操作情報を画像形成装置１０で認識可能な操作情報に変換し、その変換後の操作情報（代替情報）を画像形成装置１０に送信する。これにより、画像形成装置１０は、連携パネルモード中の携帯端末４０から認識できない操作情報を受信せず、よって、操作情報の誤認識を防止することができる。
【０１２８】
＜態様例４＞
態様例４では、連携パネルモード中の携帯端末４０が受け付けた特定操作が、携帯端末４０に表示されている画面の表示内容のみを変更し、操作パネル３０に表示されている画面の表示内容は変更しない第２特定操作であれば、その第２特定操作を無効とせず、当該第２特定操作に応じて、携帯端末４０に表示されている画面の表示内容のみを変更する。
【０１２９】
例えば、図１２では、図４の状態で、連携パネルモード中の携帯端末４０がピンチアウト操作を受け付けた場合の様子を示す。ここでは、ピンチアウト操作は、指示対象画面の表示内容の拡大指示であるものとする。操作表示部５０に対して行うピンチアウト操作は、操作表示部５０に表示された画面の表示内容を拡大表示する操作であって、操作パネル３０に表示されている画面の表示内容は変更しない操作である。よって、連携パネルモード中の携帯端末４０がピンチアウト操作を受け付けた際には、その操作自体は画像形成装置１０で認識不可能な操作であるが、その操作を無効な操作とせず、操作表示部５０に表示された画面の表示内容のみを、その操作に応じて変更する。
【０１３０】
ピンチアウト操作を受け付けた連携パネルモード中の携帯端末４０は、操作表示部５０に表示している画面の表示内容を拡大して表示する。なお、拡大した表示内容を元のサイズに戻す場合に限り、指示対象画面の表示内容を縮小させるピンチイン操作が可能となる。
【０１３１】
態様例４において、連携パネルモードが開始されてから、終了するまでの間に携帯端末４０で行われる処理の流れを説明する。まずは、態様例２におけるステップＳ２０１〜ステップＳ２０５と同様の処理を行う（図９参照）。図１３は態様例４におけるその続きの処理を示す。なお、態様例４では、ステップＳ２０３において差異が無い場合は（ステップＳ２０３；Ｎｏ）、ステップＳ４０６に進む。
【０１３２】
まず、操作表示部５０での操作の受け付けを監視する（ステップＳ４０６）。操作表示部５０が操作を受け付け、それにより操作情報を取得するまでは（ステップＳ４０７；Ｎｏ）ステップＳ４０６に戻って処理を継続する。操作情報を取得したら（ステップＳ４０７；Ｙｅｓ）、その操作情報の基となる操作が特定操作であるか否かを調べる（ステップＳ４０８）。その操作情報の基となる操作が、ステップＳ２０４で作成した操作無効リスト８０上において画像形成装置１０が受け付け不可能な操作に該当する場合は、その操作は特定操作であると判断する。
【０１３３】
操作情報の示す操作が特定操作であれば（ステップＳ４０８；Ｙｅｓ）、その操作の操作情報を画像形成装置１０に送信しない（ステップＳ４０９）。その特定操作が、携帯端末４０に表示されている画面の表示内容のみを変更する操作（第２特定操作）であれば（ステップＳ４１１；Ｙｅｓ）、ステップＳ４１３に進む。
【０１３４】
携帯端末４０に表示されている画面の表示内容のみを変更する操作（第２特定操作）でなければ（ステップＳ４１１；Ｎｏ）、その特定操作を無効な操作として（ステップＳ４１２）、ステップＳ４１４に進む。この時、その特定操作が無効である旨を操作パネル３０か、操作表示部５０の少なくとも一方にて通知してもよい。
【０１３５】
操作情報の示す操作が特定操作でなければ（ステップＳ４０８；Ｎｏ）、その操作情報を画像形成装置１０に送信し（ステップＳ４１０）、ステップＳ４１３に進む。
【０１３６】
ステップＳ４１３では、その操作に応じて画面を動作させる。その操作が第２特定操作でない操作ならば、その操作に合わせて表示内容を変更した後の画面の表示データを画像形成装置１０から取得し、その取得した表示データに基づいて新たな画面を操作表示部５０に表示する。その操作が第２特定操作ならば、その操作に応じて、ＣＰＵ４１が、操作表示部５０に表示する画面の表示内容を変更する。その後、ステップＳ４１４に進む。
【０１３７】
連携パネルモードが終了するまでは（ステップＳ４１４；Ｎｏ）、ステップＳ４０６に戻って処理を継続する。連携パネルモードが終了したら（ステップＳ４１４；Ｙｅｓ）、処理を終了する。
【０１３８】
態様例４では、連携パネルモード中の携帯端末４０が受け付けた特定操作が、携帯端末４０に表示されている画面の表示内容のみを変更し、操作パネル３０に表示されている画面の表示内容は変更しない第２特定操作であれば、その操作を無効とせず、当該第２特定操作に応じて、携帯端末４０に表示されている画面の表示内容のみを変更する。これにより、連携パネルモード中の携帯端末４０が第２特定操作を受け付けた場合は、その第２特定操作を無効とせずに、その第２特定操作に応じて携帯端末４０に表示されている画面の表示内容を変更することができる。
【０１３９】
＜態様例５＞
（態様例４＋表示データが足りなくなった場合にその不足分を補充する。）
態様例５では、態様例４と同様に、連携パネルモード中の携帯端末４０が受け付けた特定操作が、携帯端末４０に表示されている画面の表示内容のみを変更し、操作パネル３０に表示されている画面の表示内容は変更しない第２特定操作であれば、その操作を無効とせず、当該第２特定操作に応じて、携帯端末４０に表示されている画面の表示内容のみを変更する。さらに、ＣＰＵ４１が第２特定操作に応じた変更後の表示内容を作成する際に、携帯端末４０の保有する表示データだけでは表示データが足りなくなった場合、その不足分の表示データを画像形成装置１０から取得し、この取得した表示データに基づいて、変更後の表示内容を作成し、操作表示部５０に表示する。
【０１４０】
例えば、図１４では、図４の状態で、連携パネルモード中の携帯端末４０がピンチイン操作を受け付けた場合の様子を示す。ここでは、ピンチイン操作は、指示対象画面の表示内容の縮小指示であるものとする。操作表示部５０に対して行うピンチイン操作は、操作表示部５０に表示された画面の表示内容を縮小表示する操作であって、操作パネル３０に表示されている画面の表示内容は変更しない操作である。よって、連携パネルモード中の携帯端末４０がピンチイン操作を受け付けた際には、その操作自体は画像形成装置１０で認識不可能な操作であるが、その操作を無効な操作とせず、操作表示部５０に表示された画面の表示内容のみを、その操作に応じて変更する。
【０１４１】
図１４では、操作表示部５０に表示された画面の表示内容を第２特定操作（図１４ではピンチイン操作）に応じて縮小（変更）する。その際に、縮小後（変更後）の表示内容を作成する為に必要な表示データ（操作表示部５０の表示部５１全体に画面を表示する為に必要な表示データ）が不足する。そこで、その不足している分の表示データを画像形成装置１０から取得して、その取得した表示データから縮小後の表示内容を作成し、表示部５１全体にその表示内容の画面を表示する。
【０１４２】
不足している表示データを取得する際には、携帯端末４０は、表示内容を縮小する直前に表示していた画面の座標情報と、縮小する際に不足するエリアを示す情報とともに、その不足する表示データの送信要求を画像形成装置１０に送信する。要求した表示データを画像形成装置１０から受信した携帯端末４０は、その表示データに基づき、縮小後の表示内容を作成し、表示部５１に画面を表示させる。
【０１４３】
図１４では、連携パネルモード中の携帯端末４０がピンチイン操作を受け付けたら、その表示内容を縮小した画面を表示する。表示内容が縮小された画面では、その表示内容が操作パネル３０に表示されている内容と重複する部分があってもよい。たとえば、図１４では、第１画面９０の右側で、「ＷＥＢ」の項目が見切れているが、ピンチイン操作によって、表示内容を縮小した後の第２画面９１では、その項目の続きではなく、第１画面９０で見切れている部分（重複する部分）も含めて、「ＷＥＢ」の項目の全体像が表示されている。
【０１４４】
態様例５において、連携パネルモード中に携帯端末４０で行われる処理の流れを説明する。まずは、態様例２におけるステップＳ２０１〜ステップＳ２０５と同様の処理を行う（図９参照）。図１５は態様例５におけるその続きの処理を示す。なお、態様例５では、ステップＳ２０３において差異が無い場合は（ステップＳ２０３；Ｎｏ）、ステップＳ５０６に進む。
【０１４５】
まず、操作表示部５０での操作の受け付けを監視する（ステップＳ５０６）。操作表示部５０が操作を受け付け、それにより操作情報を取得するまでは（ステップＳ５０７；Ｎｏ）ステップＳ５０６に戻って処理を継続する。操作情報を取得したら（ステップＳ５０７；Ｙｅｓ）、その操作情報の基となる操作が特定操作であるか否かを調べる（ステップＳ５０８）。その操作情報の基となる操作が、ステップＳ２０４で作成した操作無効リスト８０上において画像形成装置１０が受け付け不可能な操作に該当する場合は、その操作は特定操作であると判断する。
【０１４６】
操作情報の示す操作が特定操作であれば（ステップＳ５０８；Ｙｅｓ）、その操作の操作情報を画像形成装置１０に送信しない（ステップＳ５０９）。その特定操作が、携帯端末４０に表示されている画面の表示内容のみを変更する操作（第２特定操作）でなければ（ステップＳ５１１；Ｎｏ）、その操作を無効な操作として（ステップＳ５１２）、ステップＳ５１７に進む。この時、その操作が無効である旨を操作パネル３０か、操作表示部５０の少なくとも一方にて通知してもよい。
【０１４７】
携帯端末４０に表示されている画面の表示内容のみを変更する操作（第２特定操作）であれば（ステップＳ５１１；Ｙｅｓ）、その第２特定操作に応じて携帯端末４０に表示する画面の表示内容を変更する際に、表示データが不足するか否かを調べる（ステップＳ５１３）。表示データが不足しなければ（ステップＳ５１３；Ｎｏ）ステップＳ５１６に進む。表示データが不足する場合は（ステップＳ５１３；Ｙｅｓ）、現在表示している画面の座標情報と、表示内容の変更に際して不足する表示エリアの情報とともに、その不足する表示データの送信要求を画像形成装置１０に送信する（ステップＳ５１４）。
【０１４８】
要求した表示データを受信するのを待って（ステップＳ５１５；Ｎｏ）、要求した表示データを画像形成装置１０から受信したら（ステップＳ５１５；Ｙｅｓ）、ステップＳ５１６に進む。
【０１４９】
ステップＳ５１６では、その操作に応じて画面の表示内容を変更する。その操作が第２特定操作でない操作ならば、その操作に合わせて表示内容を変更した後の画面の表示データを画像形成装置１０から取得し、その取得した表示データに基づいて新たな画面を操作表示部５０に表示する。その操作が第２特定操作ならば、その操作に応じて、ＣＰＵ４１が、操作表示部５０に表示する画面の表示内容を変更する。その後、ステップＳ５１７に進む。
【０１５０】
連携パネルモードが終了するまでは（ステップＳ５１７；Ｎｏ）、ステップＳ５０６に戻って処理を継続する。連携パネルモードが終了したら（ステップＳ５１７；Ｙｅｓ）、処理を終了する。
【０１５１】
態様例５では、連携パネルモード中の携帯端末４０が受け付けた特定操作が、携帯端末４０に表示されている画面の表示内容のみを変更し、操作パネル３０に表示されている画面の表示内容は変更しない第２特定操作であれば、その操作を無効とせず、当該第２特定操作に応じて、携帯端末４０に表示されている画面の表示内容のみを変更する。また、表示内容を変更する際に、携帯端末４０の保有する表示データだけでは表示データが足りなくなってしまった場合、その不足分の表示データを画像形成装置１０から取得し、この取得した表示データに基づいて、変更後の表示内容を作成し、操作表示部５０に表示する。これにより、連携パネルモード中の携帯端末４０が第２特定操作に応じて、表示内容を変更する際に、表示データが不足する場合でも、その不足分の表示データを取得し、その変更後の表示内容の画面を表示することができる。
【０１５２】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１５３】
本発明の実施の形態では画像形成装置１０を操作表示装置の例として説明したが、操作表示装置はこれに限らない。画像形成装置１０から、
ＣＰＵ１１と、ＲＯＭ１２と、ＲＡＭ１３と、不揮発メモリ１４と、ネットワーク通信部２０と操作パネル３０を抜き出して単体の操作表示装置として構成されてもよい。また、本発明は、操作表示装置を実施の形態で示したように動作させるプログラムであってもよい。
【０１５４】
本発明は、携帯端末を実施の形態で示したように動作させるプログラムであってもよい。
【０１５５】
本発明の実施の形態の操作表示システム５では、画像形成装置１０が、連携パネルモード中の携帯端末４０に表示させる画面の表示を制御していたが、画像形成装置１０から独立した装置として連携制御装置を設け、この連携制御装置に連携パネルモード中の画像形成装置１０の操作パネル３０と携帯端末４０の操作表示部５０に表示する画面を制御させてもよい。
【０１５６】
本発明の実施の形態の操作表示システム５では、画像形成装置１０、または携帯端末４０にて、連携パネルモード中の携帯端末４０が受け付けた操作が無効となる操作（特定操作）であるか否かを判断し、無効な操作（特定操作）であると判断した場合にその特定操作を無効にした。しかし、両装置から独立した装置として特定操作無効判断装置を設けて、この特定操作無効判断装置に、連携パネルモード中の携帯端末４０が受け付けた操作が特定操作であるか否かの判断と、特定操作であると判断した場合にその特定操作を無効とする処理を行わせてもよい。
【０１５７】
態様例１〜５は組み合わせてもよい。ただし整合性の取れる範囲内で行う。たとえば、態様例４と態様例５は組み合わせ可能である。
【０１５８】
本発明の実施の形態では、連携パネルモード中に、操作パネル３０に対して携帯端末４０を設置すべき位置（方向）を画像形成装置１０が指示していたが、画像形成装置１０にセンサーを設けて、携帯端末４０を近づけた位置（方向）によって、画面の表示を変えてもよい。実施例では右側に設置したが、左でも上下でもよい。また、予め決められた方向に（たとえば操作パネル３０の右側で固定）配置する構成であってもよい。
【０１５９】
本発明の実施の形態では、操作パネル３０はマルチタッチ操作の受け付けが不可能であったが、他の操作が受け付け不可能であってもよい。フリック操作やダブルタップ操作が受け付け不可能であってもよい。また、操作パネル３０では受け付け可能であるが、携帯端末４０では受け付け不可能な操作があってもよい。
【０１６０】
本発明の実施の形態では、連携パネルモードの開始時に、操作無効リスト８０を作成し、操作を受ける毎に操作無効リスト８０を参照して、連携パネルモード中の携帯端末４０が受け付けた操作が特定操作であるか否かを判断した。しかし、操作無効リスト８０を作成せずに、連携パネルモード中の携帯端末が操作を受け付ける度に、その操作を、画像形成装装置１０で受け付け可能な全ての操作と比較することによって、その受け付けた操作が特定操作であるか否かを判断してもよい。
【０１６１】
本発明の実施の形態では、画像形成装置１０と連携する携帯端末４０は１台のみであったが、複数台の携帯端末４０と連携してもよい。
【符号の説明】
【０１６２】
５…操作表示システム
１０…画像形成装置
１１…ＣＰＵ
１２…ＲＯＭ
１３…ＲＡＭ
１４…不揮発メモリ
１５…ハードディスク装置
１６…画像処理部
１７…画像読取部
１８…プリンタ部
１９…ファクシミリ通信部
２０…ネットワーク通信部
３０…操作パネル
３１…表示部
３２…操作部
３３…スイッチ部
３４…タッチパネル部
４０…携帯端末
４１…ＣＰＵ
４２…ＲＯＭ
４３…ＲＡＭ
４４…不揮発メモリ
４５…ハードディスク装置
４６…ネットワーク通信部
５０…操作表示部
５１…表示部
５２…操作部
５３…スイッチ部
５４…タッチパネル部
６０…項目
８０…操作無効リスト
９０…第１画面
９１…第２画面
【図１】
2014006668.tif 000003
【図２】
2014006668.tif 000004
【図３】
2014006668.tif 000005
【図６】
2014006668.tif 000006
【図７】
2014006668.tif 000007
【図８】
2014006668.tif 000008
【図９】
2014006668.tif 000009
【図１０】
2014006668.tif 000010
【図１１】
2014006668.tif 000011
【図１３】
2014006668.tif 000012
【図１５】
2014006668.tif 000013
【図４】
2014006668.tif 000014
【図５】
2014006668.tif 000015
【図１２】
2014006668.tif 000016
【図１４】
2014006668.tif 000017